(57)【要約】【課題】  携帯電話端末を利用することで、一般的なテレビ受像機を用い、かつ、サーバに負荷をかけることなくザッピングを行う。【解決手段】  視聴者によるチャンネル指定に基づきテレビ受像機２にチャンネル信号を出力すると共に、チャンネル情報共有装置３に対して端末識別情報と指定されたチャンネル情報を送信し、チャンネル情報共有装置３で取り込んだチャンネル情報に基づき視聴状況を集計し、当該集計して得られるチャンネル毎の視聴情報に基づき変更すべきチャンネル情報、例えば、視聴率の高いチャンネル、視聴率の低いチャンネル、変更の頻度の高いチャンネル携帯電話端末へ１送信して切替える。【選択図】      図１
2005333407.tif 000002
【特許請求の範囲】
【請求項１】
視聴者によるチャンネル指定に基づきテレビ受像機にチャンネル信号を出力すると共に、チャンネル情報共有装置に対して端末識別情報と前記指定されたチャンネル情報を送信する携帯電話端末と、
前記携帯電話端末とは通信ネットワークを介して接続され、前記チャンネル情報に基づいて視聴状況を集計し、当該集計して得られるチャンネル毎の視聴情報に基づき変更すべきチャンネル情報を前記携帯電話端末へ送信する前記チャンネル情報共有装置と、
を具備することを特徴とするチャンネル情報共有システム。
【請求項２】
視聴者の携帯電話端末と通信ネットワークを介して接続されるチャンネル情報共有装置であって、
視聴者によるチャンネル指定に基づき前記携帯電話端末から自身の端末識別情報を含むチャンネル情報を受信する端末情報受信部と、
前記受信したチャンネル情報に基づき視聴情報を集計し、当該集計して得られるチャンネル毎の視聴情報に基づき、変更すべきチャンネル情報を前記携帯電話端末に送信するチャンネル情報送信部と、
を具備することを特徴とするチャンネル情報共有装置。
【請求項３】
前記携帯電話端末毎、変更後の視聴チャンネルを含む視聴状況を記憶する視聴状況テーブルを備え、前記チャンネル情報送信部は、前記視聴状況テーブルが示すデータに基づき集計した結果、視聴した人数の割合が最も高いチャンネルに相当するチャンネル情報を送信することを特徴とする請求項２に記載のチャンネル情報共有装置。
【請求項４】
前記携帯電話端末毎、変更後の視聴チャンネルを含む視聴状況を記憶する視聴状況テーブルを備え、前記チャンネル情報送信部は、前記視聴状況テーブルが示すデータに基づき集計した結果、視聴した人数の割合が最も低いチャンネルに相当するチャンネル情報を送信することを特徴とする請求項２に記載のチャンネル情報共有装置。
【請求項５】
前記携帯電話端末毎、変更前後の視聴チャンネルを含む視聴状況を記憶する視聴状況テーブルを備え、前記チャンネル情報送信部は、前記視聴状況テーブルを参照して所定の時間内にチャンネル変更があった携帯電話端末を抽出し、これら携帯電話端末の変更前のチャンネル毎、変更後チャンネルを集計して変化の割合を算出し、最も多いか、少ない変更後チャンネルを選択し、相当するチャンネル情報を送信することを特徴とする請求項２に記載のチャンネル情報共有装置。
【請求項６】
視聴情報の集計結果に基づき視聴者のチャンネルを切替えるチャンネル情報共有方法であって、
視聴者によるチャンネル指定に基づきテレビ受像機にチャンネル信号を出力すると共に、チャンネル情報共有装置に対して端末識別情報と前記指定されたチャンネル情報を送信するステップと、
前記チャンネル情報共有装置で前記チャンネル情報に基づき視聴状況を集計し、当該集計して得られるチャンネル毎の視聴情報に基づき変更すべきチャンネル情報を前記携帯電話端末へ送信するステップと、
を有することを特徴とするチャンネル情報共有方法。
【請求項７】
視聴者の携帯電話端末と通信ネットワークを介して接続されるチャンネル情報共有装置に用いられるプログラムであって、
視聴者によるチャンネル指定に基づき前記携帯電話端末から自身の端末識別情報を含むチャンネル情報を受信する処理と、
前記受信したチャンネル情報に基づき視聴情報を集計し、当該集計して得られるチャンネル毎の視聴情報に基づき、変更すべきチャンネル情報を前記携帯電話端末に送信する処理と、
をコンピュータに実行させるプログラム。
【請求項８】
視聴者の携帯電話端末と通信ネットワークを介して接続されるチャンネル情報共有装置に用いられるプログラムを記録したコンピュータ読み取り可能な記録媒体であって、
視聴者によるチャンネル指定に基づき前記携帯電話端末から自身の端末識別情報を含むチャンネル情報を受信する処理と、
前記受信したチャンネル情報に基づき視聴情報を集計し、当該集計して得られるチャンネル毎の視聴情報に基づき、変更すべきチャンネル情報を前記携帯電話端末に送信する処理と、
をコンピュータに実行させるプログラムを記録した記録媒体。
【発明の詳細な説明】
【技術分野】
【０００１】
本発明は、  視聴情報の集計結果に基づき視聴者のチャンネルを切替える、チャンネル情報共有システムおよび方法、ならびにチャンネル情報共有装置、プログラム、記録媒体に関する。
【背景技術】
【０００２】
近年、地上波によるテレビ放送に加え、ケーブルテレビ、衛星を利用したＢＳ、ＣＳ衛星放送等、様々な放送ネットワークが出現してきている。このため、視聴者の見たい番組を選択する選択肢が増えてきている。
ところで、ザッピングによるチャンネル選択方式は、番組と視聴者の出会いを作るうえで効果的な手法である。
【０００３】
ところで、一般的なザッピングによれば、視聴者が本来視聴したい番組あるいはチャンネルがあっても、ザッピングの過程でそのチャンネルに遭遇しないことがあり、見逃す可能性がある。従って、例えば、ある放送番組が、後日、視聴率が高かったことを知り、視聴しなかったことを後悔する場面も見うけられる。また、グループで視聴する場合、グループ間で人気の番組であっても一般的なザッピングではそれらを客観的に把握することができず、このため、最適なチャンネル選択手段とはなりえない。
このため、視聴者の嗜好をその視聴履歴から推定し、視聴者に対して特定のチャンネルあるいは番組への選択を推奨する、あるいは制御するシステムが提案されている（例えば、特許文献１参照）。
【特許文献１】特開２００３−１８９３３３号公報
【発明の開示】
【発明が解決しようとする課題】
【０００４】
上記した特許文献１に開示された技術によれば、テレビ視聴者の嗜好を細かく分類し、特定嗜好の視聴者グループがどの番組を視聴しているかを把握したうえで、同じ嗜好の別の視聴者にも同じ番組が速やかに視聴できるように、推奨、もしくは制御することができる。
しかしながら、そのためにテレビ受像機は視聴者の過去の視聴履歴、あるいは現在を含む将来の視聴状況をサーバに通知し、サーバで特定の視聴グループが現在または将来どの番組を主に視聴するかを多数決で判断してテレビ受像機を制御する必要がある。このため。専用のテレビ受像機を必要とし、かつ、サーバの負荷が大きいといった欠点を有する。
【０００５】
本発明は上記事情に基づきなされたものであり、携帯電話端末を利用することで、一般的なテレビ受像機を用い、かつ、サーバに負荷をかけることなくザッピングを行い、例えば、視聴者が他の番組を視聴中であっても、人気番組へのチャンネルの誘導が可能な、チャンネル情報共有システムおよび方法、ならびにチャンネル情報共有装置、プログラム、記録媒体を提供することを目的とする。
【課題を解決するための手段】
【０００６】
上記した課題を解決するために本発明の一実施形態は、視聴者によるチャンネル指定に基づきテレビ受像機にチャンネル信号を出力すると共に、チャンネル情報共有装置に対して端末識別情報と前記指定されたチャンネル情報を送信する携帯電話端末と、前記携帯電話端末とは通信ネットワークを介して接続され、前記チャンネル情報に基づいて視聴状況を集計し、当該集計して得られるチャンネル毎の視聴情報に基づき変更すべきチャンネル情報を前記携帯電話端末へ送信する前記チャンネル情報共有装置と、を具備することを特徴とするチャンネル情報共有システムである。
【０００７】
また、本発明の一実施形態は、視聴者の携帯電話端末と通信ネットワークを介して接続されるチャンネル情報共有装置であって、視聴者によるチャンネル指定に基づき前記携帯電話端末から自身の端末識別情報を含むチャンネル情報を受信する端末情報受信部と、前記受信したチャンネル情報に基づき視聴情報を集計し、当該集計して得られるチャンネル毎の視聴情報に基づき、変更すべきチャンネル情報を前記携帯電話端末に送信するチャンネル情報送信部と、を具備することを特徴とする。
【０００８】
また、本発明の一実施形態において、前記携帯電話端末毎、変更後の視聴チャンネルを含む視聴状況を記憶する視聴状況テーブルを備え、前記チャンネル情報送信部は、前記視聴状況テーブルが示すデータに基づき集計した結果、視聴した人数の割合が最も高いチャンネルに相当するチャンネル情報を送信することを特徴とする。
【０００９】
また、本発明の一実施形態において、前記携帯電話端末毎、変更後の視聴チャンネルを含む視聴状況を記憶する視聴状況テーブルを備え、前記チャンネル情報送信部は、前記視聴状況テーブルが示すデータに基づき集計した結果、視聴した人数の割合が最も低いチャンネルに相当するチャンネル情報を送信することを特徴とする。
【００１０】
また、本発明の一実施形態において、前記携帯電話端末毎、変更前後の視聴チャンネルを含む視聴状況を記憶する視聴状況テーブルを備え、前記チャンネル情報送信部は、前記視聴状況ブルを参照して所定の時間内にチャンネル変更があった携帯電話端末を抽出し、これら携帯電話端末の変更前のチャンネル毎、変更後チャンネルを集計して変化の割合を算出し、最も多いか、少ない変更後チャンネルを選択し、相当するチャンネル情報を送信することを特徴とする。
【００１１】
また、本発明の一実施形態は、視聴情報の集計結果に基づき視聴者のチャンネルを切替えるチャンネル情報共有方法であって、視聴者によるチャンネル指定に基づきテレビ受像機にチャンネル信号を出力すると共に、チャンネル情報共有装置に対して端末識別情報と前記指定されたチャンネル情報を送信するステップと、前記チャンネル情報共有装置で前記チャンネル情報に基づき視聴状況を集計し、当該集計して得られるチャンネル毎の視聴情報に基づき変更すべきチャンネル情報を前記携帯電話端末へ送信するステップと、を有することを特徴とする。
【００１２】
また、本発明の一実施形態は、視聴者の携帯電話端末と通信ネットワークを介して接続されるチャンネル情報共有装置に用いられるプログラムであって、視聴者によるチャンネル指定に基づき前記携帯電話端末から自身の端末識別情報を含むチャンネル情報を受信する処理と、前記受信したチャンネル情報に基づき視聴情報を集計し、当該集計して得られるチャンネル毎の視聴情報に基づき、変更すべきチャンネル情報を前記携帯電話端末に送信する処理と、をコンピュータに実行させることを特徴とする。
【００１３】
また、本発明の一実施形態は、視聴者の携帯電話端末と通信ネットワークを介して接続されるチャンネル情報共有装置に用いられるプログラムを記録したコンピュータ読み取り可能な記録媒体であって、視聴者によるチャンネル指定に基づき前記携帯電話端末から自身の端末識別情報を含むチャンネル情報を受信する処理と、前記受信したチャンネル情報に基づき視聴情報を集計し、当該集計して得られるチャンネル毎の視聴情報に基づき、変更すべきチャンネル情報を前記携帯電話端末に送信する処理と、をコンピュータに実行させるプログラムを記録した記録媒体である。
【発明の効果】
【００１４】
本発明によれば、携帯電話端末を利用することで、一般的なテレビ受像機を用い、かつ、サーバに負荷をかけることなくザッピングを行うことができ、例えば、視聴者が他の番組を視聴中であっても、人気番組等へのチャンネルの誘導を実現できる。
【発明を実施するための最良の形態】
【００１５】
図１は、本発明の一実施形態に係わるチャンネル情報共有システムのシステム構成を説明するために引用した図である。
図１において、符号１は、携帯電話端末であり、赤外線によるチャンネルリモコン機能を持つ。携帯電話端末１が持つチャンネルリモコン機能については、例えば、特開２００３−７８９７７号公報により周知である。ここでは、携帯電話端末１は、視聴者からのチャンネル指示を受付け、ＴＶ受像機２に対してそのチャンネル用信号を出力するとともに、端末識別情報（以下、単に、端末ＩＤという）を含むチャンネル情報を後述するコンテンツサーバ３へ送信し、また、コンテンツサーバ３によって集計され作成される視聴情報を受信して表示する機能を持つ。また、コンテンツサーバ３から送信されるチャンネル情報に基づきＴＶ受像機２にチャンネル信号を出力してチャンネルを切替えることもできる。
【００１６】
符号３は、コンテンツプロバイダが管理するチャンネル情報共有装置としてのコンテンツサーバであり、チャンネル情報に基づいて視聴状況を集計し、当該集計して得られるチャンネル毎の現時点における視聴情報を端末ＩＤに相当する携帯電話端末１へ送信する機能を持つ。また、集計して得られるチャンネル毎の視聴情報に基づき、例えば、視聴率が最も高い、低い、あるいはチャンネル変更された頻度の高い変更先のチャンネル情報を携帯電話端末１へ送信する機能も併せ持つ。
このため、コンテンツサーバ３は、ＩＰ（Internet Protocol）網５ならびに携帯電話網６、そして、基地局７経由で携帯電話端末１に接続される。
符号４は、放送局に設置される放送システムであり、放送システム４は、放送番組を地上波等により家庭内のＴＶ受像機２に放映する。また、放送システム４は、ＩＰ網５を介してコンテンツサーバ３に接続されることもあり、両者間で番組情報等に関するやりとりが行われても良い。
【００１７】
図２は、図１に示すコンテンツサーバ３の内部構成を機能展開して示したブロック図である。
コンテンツサーバ３は、端末情報受信部３１と、視聴状況テーブル（ＴＢＬ）更新部３２と、集計ＴＢＬ作成部３３と、視聴情報取得要求受信部３４と、タイマ監視部３５と、ページ情報・作成送信部３６と、視聴状況ＴＢＬ３７と、集計ＴＢＬ３８と、チャンネル（ＣＨ）情報送信部３９と、集計ＴＢＬ４０で構成される。
【００１８】
端末情報受信部３１は、視聴者によるチャンネル指定に基づき携帯電話端末１から自身の端末ＩＤを含むチャンネル情報を受信して視聴状況ＴＢＬ更新部３２へ供給する。
視聴状況ＴＢＬ３７のデータ構造の一例は図５（ａ）に、集計ＴＢＬ３８、４０のデータ構造の一例は図５（ｂ）（ｃ）にそれぞれ示されている。
視聴状況ＴＢＬ３７には、端末ＩＤ毎、変更前後における視聴チャンネルと日時から成る視聴状況が記憶され、これらデータは、視聴状況ＴＢＬ更新部３２により逐次更新される。また、集計ＴＢＬ３８には、チャンネル毎の視聴状況、具体的には、現在使用しているユーザ数の他に、チャンネル毎、その視聴者数と割合が記憶され、これらデータは、集計ＴＢＬ作成部３３が、視聴状況ＴＢＬ３７が示すデータに基づき、チャンネル毎の視聴状況を集計して書き込むことにより記憶される。更に、集計ＴＢＬ４０には、変更前のチャンネル毎、変更後チャンネルの視聴状況が人数と割合で示されている。視聴状況ＴＢＬ４０は、例えば、変更の頻度が高い変更先（後）のチャンネルを調べるときに使用される。詳細は後述する。
【００１９】
ページ情報生成・送信部３６は、集計ＴＢＬ３８に記憶されたデータに基づき、携帯電話端末１に送信するページ情報を生成して送信する機能を持つ。
なお、上記した視聴状況ＴＢＬ更新部３２は、携帯電話端末１から通知される、内蔵するアプリケーションプログラムの終了、もしくは電源断のイベントを契機に視聴状況ＴＢＬ３７の削除要求を受信し、別途送信される端末ＩＤに基づき、該当する視聴状況データを削除する機能も併せ持つ。また、携帯電話端末１から端末ＩＤならびにチャンネル情報を受信したときに、視聴状況ＴＢＬ３７に端末ＩＤが未登録だった場合に新規登録して対応する視聴状況データを記憶する領域を確保する機能も併せ持つ。
【００２０】
視聴状況ＴＢＬ更新部３２は、更に、携帯電話端末１から端末ＩＤを含むチャンネル情報を受信後、タイマ監視部３５によって監視される所定の時間が経過してもイベントの通知が無い場合、視聴状況ＴＢＬ３７の端末ＩＤに相当する視聴状況データを削除し、集計テーブル作成部３３およびページ情報作成・送信部３６に制御を移し、それぞれテーブル集計、ページ情報作成の処理を起動する機能も持つ。
タイマ監視部３２は、集計された視聴情報のページ作成タイミングのチェックと、不視聴を集計対象から除外するためのチェックに用いられる。また、変更の頻度が高い変更先のチャンネルを調べるときの時間監視にも使用される。
一方、ＣＨ情報送信部３９は、集計ＴＢＬ作成部３３によって受信したチャンネル情報に基づく視聴情報の集計結果に従い、当該集計して得られるチャンネル毎の視聴情報に基づいて変更すべきチャンネル情報を携帯電話端末１に送信する機能を持ち、ここでは、視聴した人数の割合が最も高い、低い、あるいは、変更の頻度が高いチャンネルが選択される。なお、視聴情報取得要求受信部３４は、携帯電話端末１から発せられる視聴情報取得要求（ＲＥＱ）を受信し、集計ＴＢＬ３８を参照して視聴情報を提供するための機能を起動する。
【００２１】
図３は、図１に示す携帯電話端末１の内部構成を機能展開して示したブロック図である。
図３において、携帯電話端末１は、視聴情報取得要求送信部１１と、チャンネル（ＣＨ）情報送信部１２と、ページ情報受信部１３と、表示制御部１４と、削除要求送信部１５と、ＣＨ情報受信部１６で構成される。
【００２２】
視聴情報取得要求送信部１１は、携帯電話端末１が内蔵するアプリケーションプログラム（以下、単にアプリケーション、もしくはアプリという）の起動を契機に生成される視聴情報取得要求（ＲＥＱ）をコンテンツサーバ３に送信する機能を持つ。
また、ＣＨ情報送信部１２は、視聴者によるチャンネル指定に基づきテレビ受像機２にチャンネル信号を出力すると共に、コンテンツサーバ３に対して自身の端末ＩＤを含む指定されたチャンネル情報を送信する機能を持つ。更に、ページ情報受信部１３は、チャンネル情報に基づきコンテンツサーバ３で集計される現時点における視聴情報を、表示制御部１４経由で内蔵の表示モニタに表示するページの形態で受信する機能を持つ。
なお、削除要求送信部１５は、内蔵するアプリケーションプログラムの終了、もしくは電源断のイベントを検知してコンテンツサーバ３へ、視聴状況ＴＢＬ３７の削除要求を送信する機能を持つ。また、ＣＨ情報受信部１６は、コンテンツサーバ３から変更すべきチャンネル情報の送信を受け、携帯電話端末１が持つチャンネルリモコン機能を起動してチャンネル信号を出力し、チャンネルを切替える。
【００２３】
図４は、本発明一実施形態の視聴情報提供システムの動作シーケンスを示す図である。ここでは、携帯電話端末１と、視聴情報提供装置としてのコンテンツサーバ３との関係が示されている。
図４において、それぞれの視聴者は、まず、ＴＶ受像機２に放映された番組を視聴しながら所有する携帯電話端末１を操作し、端末ＩＤを含むチャンネル情報をコンテンツサーバ３へ送信する（Ｓ４１）。一方、内蔵するアプリケーションの終了、あるいは電源ＯＦＦ等のイベントか発生することによりコンテンツサーバ３が管理する視聴状況ＴＢＬ３７の削除要求についても送信する（Ｓ４２）。コンテンツサーバ３では、これらデータを蓄積しチャンネル毎の視聴状況を逐次更新する（視聴状況ＴＢＬの更新）。
また、携帯電話端末１では、内蔵のアプリケーションが起動されたことを契機に生成される視聴情報取得要求をコンテンツサーバ３に送信し（Ｓ４３）、このことにより、コンテンツサーバ３は視聴状況の集計を行い（集計ＴＢＬの更新）、集計結果ページを生成して要求のあった携帯電話端末１へ返信する（Ｓ４４）。
【００２４】
更に、コンテンツサーバ３では、視聴状況の集計結果に基づき、視聴者を、視聴率が最も高い、あるいは低い、更には、チャンネル変更の頻度が高いチャンネルへ誘導するための管理も行っている。このために、要求のあった視聴者に対し、そのＣＨ情報を送信する（Ｓ４５）。ＣＨ情報を受信した携帯電話端末１は、リモコン機能を起動してチャンネル切替えを行う。
【００２５】
上記した動作シーケンスにつき、図６〜図１０に示すフローチャートを参照しながら詳細に説明する。図６〜図８は、コンテンツサーバ３の動作を説明するために引用したフローチャート、図９、図１０は、携帯電話端末１の動作を説明するために引用したフローチャートであり、特に、図８は、本発明一実施形態であるプログラムの処理手順も示している。
まず、視聴者は、所有する携帯電話端末１を操作して内蔵のアプリケーションを起動する（図９、Ｓ９１）。このとき、携帯電話端末１の視聴情報取得要求送信部１１は、コンテンツサーバ３に対して視聴情報取得要求（ＲＥＱ）を送信する（Ｓ９２）。このことにより、コンテンツサーバ３から視聴情報が表現されたＣＨＴＭＬ（Compact Hyper Text Markup Language）ページを受信して表示するが、例えば、コンテンツサーバ３は、以下の手順に従い視聴情報を生成する。
【００２６】
コンテンツサーバ３は、視聴情報を生成するにあたり、まず、携帯電話端末１から端末ＩＤを含むチャンネル情報を端末情報受信部３１により受信する（図６、Ｓ６１）。端末ＩＤを含むチャンネル情報は、視聴者が所有する携帯電話端末１をチャンネル指定操作することにより、携帯電話端末１のチャンネル情報送信部１２により送信される（図９、Ｓ９６）。このとき、同時にＴＶ受像機２に対し、チャンネル指定信号の出力もなされる（Ｓ９５）。これにより、視聴者宅のＴＶ受像機２のチャンネルが指定されたチャンネルに設定される。
端末ＩＤを含むチャンネル情報を受信したコンテンツサーバ３は、視聴状況ＴＢＬ更新部３２が視聴状況ＴＢＬ３７を参照して該当端末ＩＤが既登録か否かを調べ（図６、Ｓ６２）、未登録であれば視聴状況ＴＢＬ３７にその端末ＩＤを新規に登録して視聴状況データを記憶するための領域を確保する（Ｓ６３）。
【００２７】
一方、既登録であれば、チャンネルを設定（Ｓ６４）、すなわち、該当端末ＩＤ領域において、変更後のチャンネル情報を変更前のチャンネル情報へ書き込み、受信したチャンネル情報を変更後のチャンネル情報へ書き込み、登録時の日時情報を書き込む。次いで、削除要求の受信をチェックする（Ｓ６５）。削除要求は、視聴者が所有する携帯電話端末１を操作してアプリケーションを終了させたとき、あるいは電源をＯＦＦしたときに、携帯電話端末１の削除要求送信部１５により生成ならびに送信され（図１０、Ｓ１００、Ｓ１０１）、これを受信したコンテンツサーバ３は、視聴状況ＴＢＬ更新部３２で視聴状況ＴＢＬ３７からその端末ＩＤに相当する領域のデータを削除する（Ｓ６６）。
また、コンテンツサーバ３は、タイマ監視部３５によって時間監視を行っている。具体的には、視聴情報を集計してその視聴情報のページを作成するチェックであり、所定の時間（例えば、１分、５分等）が経過したかの監視を行っている（Ｓ６７）。ここで所定時間経過したことを確認した場合には、次の処理（Ｓ６８）へ進む。なお、ここで設定時間を短くすれば、視聴情報のリアルタイム性は向上するが、コンテンツサーバ３にかかる負担が大きくなる。
【００２８】
次いで、長いレンジ（例えば、２４時間）でチャンネル切替え等のイベント発生がなかった場合、アプリケーションを終了させていない、あるいは電源の切り忘れ等による不視聴が考えられる。このため、所定時間経過したことを検出した場合に期限切れデータとして該当端末ＩＤに相当する視聴状況データを削除する（Ｓ６８）。
続いて、コンテンツサーバ３の集計ＴＢＬ作成部３３は、視聴状況ＴＢＬ３７に記憶されたチャンネル毎の視聴状況に基づきチャンネル毎の視聴情報を集計し（Ｓ６９）、そして、ページ情報作成・送信部３６がその集計された視聴情報に基づき携帯電話端末１に表示するためのＣＨＴＭＬページを作成する（Ｓ７０）。そして、要求のあった視聴情報取得要求のあった携帯電話端末１へ送信する（Ｓ７１、Ｓ７２）。
【００２９】
図１１に、携帯電話端末１に表示される視聴情報の一例が示されている。図１１に示されるように、視聴情報が、例えば、リアルタイムチャンネル視聴率と題され、現在利用者数と共に、チャンネル毎の視聴率が棒グラフ、ならびに数字で表現される。
なお、携帯電話端末１には、操作性を向上させるために、アプリケーション起動後、特に、視聴者が携帯電話端末１を操作して視聴情報取得要求を送信しなくても、ある時間経過を監視することによってタイムオーバを検出したときに（図１０、Ｓ９７）、視聴情報取得要求を発行する仕組みも用意されている。このことにより、コンテンツサーバ３に自動的に視聴情報取得要求が送信され（Ｓ９８）、コンテンツサーバ３からページ情報受信部１３でＣＨＴＭＬページを受信し、表示制御部１４を介して表示モニタに表示することができる（Ｓ９９）。
そして、視聴者によるアプリケーションの終了操作を待って削除要求を送信し（Ｓ１００、Ｓ１０１）、このことにより、コンテンツサーバ３によって該当端末ＩＤの視聴状況データが削除される。
【００３０】
一方、図７のＳ７０の処理において、ＣＨ情報が要求されていた場合、コンテンツサーバ３は、視聴情報の集計結果に基づくチャンネルの選択を行い、そのチャンネル情報を携帯電話端末１へ送信する（Ｓ７４）。詳細は、図８に示されている。
すなわち、集計結果に基づき、最も視聴率の高いチャンネルに切替える場合（Ａ）、ＣＨ情報作成・送信部３９は、集計ＴＢＬ３８の割合が最も高いチャンネルを抽出し、当該チャンネルに相当するチャンネル情報を携帯電話端末１へ送信する（Ｓ８２）。また、最も視聴率の低いチャンネルに切替える場合（Ｃ）、ＣＨ情報作成・送信部３９は、集計ＴＢＬ３８の割合が最も低いチャンネルを抽出し、当該チャンネルに相当するチャンネル情報を携帯電話端末１へ送信する（Ｓ８９）。
【００３１】
一方、変更の頻度が高いチャンネルに切替える場合（Ｂ）、まず、タイマ監視部３５にそのための時間設定を行う。ここでは、瞬時、比較的短期、長期レンジの３段階を選択できるものとする。ここで、集計ＴＢＬ作成部３３は、視聴状況ＴＢＬ３７から先に設定された時間内にＣＨ変更があった端末を抽出する（Ｓ８３）。そして、その変更前のチャンネルでフィルタリングを行い（Ｓ８４）、変更後のチャンネルを全端末、全チャンネル分繰り返し集計することで（Ｓ８５、Ｓ８６）、チャンネル毎の変更の頻度を割合で表現することが可能になる。ここで集計されたデータは、集計ＴＢＬ４０に格納される。ＣＨ情報送信部３９は、集計ＴＢＬ４０の中から割合が一番大きな数値となっているチャンネルを選択し、要求のあった携帯電話端末１へ送信する（Ｓ８８）。
なお、ＣＨ情報を、ＣＨ情報受信部１６を介して受信した携帯電話端末１は（図１０、Ｓ１０２）、そのチャンネルに相当するＣＨ信号（赤外線）を生成し、ＴＶ受像機２へ出力することでチャンネルが切替わる（Ｓ１０３）。ここで、コンテンツサーバ３がチャンネル変更を指示する際の基準（視聴率の大小、あるいは変更の頻度）は、コンテンツプロバイダ、もしくは視聴者の要求によって決まる。
【００３２】
以上説明のように本発明は、携帯電話端末１を利用することで、一般的なテレビ受像機２を用い、かつ、コンテンツサーバ３に負荷をかけることなくザッピングを行うものであり、例えば、視聴者が他の番組を視聴中であっても、人気番組等へのチャンネルの誘導を実現できる。このため、視聴者は人気番組等を見落とすことがなくなる。また、視聴者に対して興味ある番組を選択できる環境を提供することができ、従って、視聴者は放送番組をより楽しむことができる。
【００３３】
なお、図２に示す、端末情報受信部３１、視聴状況ＴＢＬ更新部３２、集計ＴＢＬ作成部３３、視聴情報取得要求受信部３４、タイマ監視部３５、ページ情報作成・送信部３６、ＣＨ情報送信部３９のそれぞれで実行される手順を含むプログラムをコンピュータ読み取り可能な記録媒体に記録し、この記録媒体に記録されたプログラムを、コンピュータシステムを持つサーバに読み込ませ、実行することによって本発明のチャンネル情報共有装置を実現することができる。ここでいうコンピュータシステムとは、ＯＳや周辺機器等のハードウェアを含む。
【００３４】
また、「コンピュータシステム」は、ＷＷＷシステムを利用している場合であれば、ホームページ提供環境（あるいは表示環境）も含むものであってもよい。また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３６】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３７】
【図１】本発明の一実施形態に係わるチャンネル情報共有システムのシステム構成を説明するために引用した図である。
【図２】図１に示すコンテンツサーバ３の内部構成を機能展開して示したブロック図である。
【図３】図１に示す携帯電話端末１の内部構成を機能展開して示したブロック図である。
【図４】本発明一実施形態のチャンネル情報共有システムの動作シーケンスを示す図である。
【図５】図２に示す視聴状況ＴＢＬ３７と集計ＴＢＬ３８、４０のデータ構造の一例を示す図である。
【図６】本発明一実施形態に係わるチャンネル情報共有装置の動作を説明するために引用したフローチャートである。
【図７】本発明一実施形態に係わるチャンネル情報共有装置の動作を説明するために引用したフローチャートである。
【図８】本発明一実施形態に係わるチャンネル情報共有装置の動作を説明するために引用したフローチャートである。
【図９】本発明一実施形態に係わる携帯電話端末の動作を説明するために引用したフローチャートである。
【図１０】本発明一実施形態に係わる携帯電話端末の動作を説明するために引用したフローチャートである。
【図１１】本発明一実施形態に係わる携帯電話端末の画面構成の一例を示す図である。
【符号の説明】
【００３８】
１…携帯電話端末、２…ＴＶ受像機、３…コンテンツサーバ（チャンネル情報共有装置）、４…放送システム、５…ＩＰ網、６…携帯電話網、７…基地局、１１…視聴情報取得要求送信部、１２…チャンネル情報送信部、１３…ページ情報受信部、１４…表示制御部、１５…削除要求送信部、３１…端末情報受信部、３２…視聴状況テーブル更新部、３３…集計ＴＢＬ作成部、３４…視聴情報取得要求受信部、３５…タイマ監視部、３６…ページ情報作成・送信部、３７…視聴状況ＴＢＬ、３９…ＣＨ情報送信部、４０…集計ＴＢＬ、
【図１】
2005333407.tif 000003
【図２】
2005333407.tif 000004
【図３】
2005333407.tif 000005
【図４】
2005333407.tif 000006
【図５】
2005333407.tif 000007
【図６】
2005333407.tif 000008
【図７】
2005333407.tif 000009
【図８】
2005333407.tif 000010
【図９】
2005333407.tif 000011
【図１０】
2005333407.tif 000012
【図１１】
2005333407.tif 000013